(57)【要約】【課題】複写紙のような一側端が糊付けされて他の端が糊付けされていない複数枚の伝票が１組になっている場合、伝票搬送路において、１枚目の伝票と２枚目の伝票以降の伝票にずれが生じてしまい、搬送ジャムが発生するという問題がある。【解決手段】フィードローラ間に伝票吸入監視センサを配置し、一端側が糊付けされている伝票を糊付けされていない側を先行させて搬送するに際して、一端側が糊付けされている伝票の１枚目が先行して搬送され２枚目以降は搬送されずに伝票間でずれてガイドに接触した負荷により搬送が停止したジャム状態を、前記伝票吸入監視センサが一定時間で検知できないと、プレッシャローラをフィードローラから離し、これにより、１枚目は２枚目以降と同じ位置まで伝票の剛性（弾性）によって戻って先端と後端が２枚目以降と同じ位置にそろったことによりジャム状態を解除することを特徴とする。【選択図】図１
2010155708.tif 000002
【特許請求の範囲】
【請求項１】
上下のガイドにより構成した搬送路中に適宜間隔にフィードローラにプレッシャローラを対向配置して構成した通帳伝票処理装置において、
フィードローラ間に伝票吸入監視センサを配置し、
一端側が糊付けされている伝票を糊付けされていない側を先行させて搬送するに際して、一端側が糊付けされている伝票の１枚目が先行して搬送され２枚目以降は搬送されずに伝票間でずれてガイドに接触した負荷により搬送が停止したジャム状態を、前記伝票吸入監視センサが一定時間で検知できないと、プレッシャローラをフィードローラから離して伝票を自由にし、これにより、１枚目は２枚目以降と同じ位置まで伝票の剛性（弾性）によって戻って先端と後端が２枚目以降と同じ位置にそろったことによりジャム状態を解除し、再びプレッシャローラをフィードローラに押し付けて当該伝票を搬送するようにしたことを特徴とする通帳伝票処理装置。
【請求項２】
上下のガイドにより構成した搬送路中に適宜間隔にフィードローラにプレッシャローラを対向配置して構成した通帳伝票処理装置において、
上下のガイドの一方のガイドを他方のガイドに対する間隔を調整可能な可動ガイドとし、
フィードローラ間に伝票吸入監視センサを配置し、
一端側が糊付けされている伝票を糊付けされていない側を先行させて搬送するに際して、一端側が糊付けされている伝票の１枚目が先行して搬送され２枚目以降は搬送されずに伝票間でずれてガイドに接触した負荷により搬送が停止したジャム状態を、前記伝票吸入監視センサが一定時間で検知できないと、可動ガイドを所定の位置から伝票の搬送の負荷とならない位置まで動かして間隔を拡げ、プレッシャローラをフィードローラから離して伝票を自由にし、これによって一端側が糊付けされている伝票の２枚目以降は１枚目と同じ位置に伝票の剛性（弾性）によって移動してジャムを解除し、再びプレッシャローラをフィードローラに押し付けて当該伝票を搬送するようにしたことを特徴とする通帳伝票処理装置。
【請求項３】
上下のガイドにより構成した搬送路中に適宜間隔にフィードローラにプレッシャローラを対向配置して構成した通帳伝票処理装置において、
搬送路中の傾斜を付けた搬送路に搬送方向切替のブレードを設け、
フィードローラ間に伝票吸入監視センサを配置し、
一端側が糊付けされている伝票を糊付けされていない側を先行させて搬送するに際して、一端側が糊付けされている伝票の１枚目が先行して搬送され２枚目以降は搬送されずに伝票間でずれてガイドに接触した負荷により搬送が停止したジャム状態を、前記伝票吸入監視センサが一定時間で検知できないと、ブレードを切り替え、プレッシャローラをフィードローラから離して伝票を自由にし、これによって伝票は傾斜に沿って糊付け端側から自重で落下し、これによって、伝票の１枚目は２枚目以降と同じ位置まで伝票の剛性（弾性）によって戻ると共に糊付け端が前記ブレードに当接して先端と後端が２枚目以降と同じ位置にそろってジャムを解除し、再びプレッシャローラをフィードローラに押し付けて当該伝票を搬送するようにしたことを特徴とする通帳伝票処理装置。
【発明の詳細な説明】
【技術分野】
【０００１】
本発明は、通帳や伝票に印字等をする機能を有する通帳伝票処理装置に関する。
【背景技術】
【０００２】
従来の通帳伝票処理装置を図２１、図２２を用いて説明する。
以下の説明は、銀行で用いる通帳伝票処理装置について説明する。
図２１において、１１０は通帳インサータユニットであり、通帳伝票処理装置１０１内の正面側に実装され、オペレータによる通帳のセットを受け、セットされた通帳を取り込んだり、処理の終了した通帳を排出する機能等を備える。
【０００３】
１２０は前記通帳インサータユニット１１０の後方側に実装される印字ユニットであり、通帳への印字および印字のための印字済行の検出等の機能を備える。
１３０は前記印字ユニット１２０の後方側に実装されるオートターンページ（ＡＴＰ）ユニットであり、取り扱う通帳のうち、通帳のページめくりを行う機能を有する。
１４０は前記通帳インサータユニット１１０の上側に実装される伝票インサータユニットであり、オペレータによる伝票等の媒体のセットを受け、セットされた媒体を取り込んだり処理の終了した媒体を排出する機能を備える。
【０００４】
つぎに、前記通帳インサータユニット１１０を説明する。
１１３、１１４および１１５は通帳ステージおよび通帳ガイド１１６において、媒体を搬送するフィードローラであり、プレッシャローラが対向して配置されている。
フィードローラ１１３および１１４のプレッシャローラは、図示しないアクチュエータＡによりフィードローラ１１３および１１４から離れることができる構造になっている。
【０００５】
１１１は通帳を基準面に突き当てるための搬送を行う通帳幅寄せフィードローラである。
１１２は通帳幅寄せフィードローラ１１１に通帳を押し付ける通帳幅寄せプレッシャローラである。
通帳幅寄せプレッシャローラ１１２は、図示しないアクチュエータＢにより通帳幅寄せフィードローラ１１１から離れることができる構造になっている。
【０００６】
１１８は通帳搬送路、１１６および１１７は通帳搬送路１１８を構成する通帳ガイドである。
１１９は通帳搬送路１１８と伝票搬送路１４７の合流点に設けたブレードであり、媒体の搬送方向を切り替える。
なお、図示しないが、通帳ステージおよび通帳ガイド１１６には磁気ヘッドが設けてある。
【０００７】
つぎに、前記印字ユニット１２０の説明を行う。
１２６は印字ユニット１２０に設けられた媒体の印字搬送路であり、媒体を搬送する複数のフィードローラ１２１、１２２、１２３とこれらフィードローラに媒体を押し付けるプレッシャローラと、媒体をガイドする上下搬送ガイド１２４、１２５等から構成されている。
【０００８】
この印字搬送路１２６の正面側は、前記インサータユニット１１０のブレード１１９の部分とつながり、印字ユニット１２０で処理の終了した媒体を排出する場合、その媒体の種類に応じてブレード１１９が作動し、印字搬送路１２６を搬送される媒体が伝票搬送路１４７か通帳搬送路１１８に送り込まれる。
また、ブレード１１９を作動させて通帳搬送路１１８と印字搬送路１２６を接続させ、通帳搬送路１１８にセットされた通帳を印字搬送路１２６に送り込むか、ブレード１１９を作動させて伝票搬送路１４７と印字搬送路１２６を接続させて伝票搬送路１４７にセットされた伝票を印字搬送路１２６に送り込むことができるようになっている。
【０００９】
１２７は印字搬送路１２６に送り込んだ通帳のページマークや印字済行等を読み取る読み取り部である。
１２８は印字ヘッド部、１２９はプラテンである。
つぎに、ＡＴＰユニット１３０の説明を行う。
１３５はＡＴＰユニット１３０に設けられた媒体のＡＴＰ搬送路であり、媒体を搬送する複数のフィードローラ１３１、１３２とこれらフィードローラに媒体を押し付けるプレッシャローラと媒体をガイドする上下搬送ガイド１３３、１３４等から構成されている。
【００１０】
このＡＴＰ搬送路１３５の正面側は、前記印字ユニット１２０の印字搬送路１２６の後ろ側とつながり、ページめくりが必要と判断された通帳が印字搬送路１２６から送り込まれ、ページめくりの終った通帳を印字搬送路１２６に送り込む。
次に、伝票インサータユニット１４０の説明を行う。
１４３、１４４は伝票ステージおよび伝票ガイド１４５において媒体を搬送するフィードローラであり、これらフィードローラに媒体を押し付けるプレッシャローラが対向配置されている。このプレッシャローラは図示しないアクチュエータＣによりフィードローラ１４３、１４４から離れることができる構造になっている。
【００１１】
１４１は媒体を基準面に突き当てるための搬送を行う伝票幅寄せフィードローラ、１４２はこの伝票幅寄せフィードローラ１４１に媒体を押し付ける伝票幅寄せプレッシャローラである。この伝票幅寄せプレッシャローラは図示しないアクチュエータＤにより伝票幅寄せフィードローラ１４１から離れることができる構造になっている。
１４７は伝票搬送路、１４６は伝票ガイド１４５に対向して設けた伝票ガイドである。
【００１２】
図２２において、１５１は通帳がセットされたことを検知する通帳吸入検知センサ、１５２は通帳が通帳搬送路１１８に吸入されたことを検知する通帳吸入監視センサ、１５３は通帳が通帳搬送路１１８で搬送されていることを監視する通帳搬送監視センサ、１５４は読み取り部１２７の読み取りタイミングを監視する読み取り監視センサ、１５５は印字ユニット１２０の印字ヘッド部１２８で印字するタイミングを監視する印字監視センサ、１５６はＡＴＰユニット１３０のターンページのタイミングを監視するＡＴＰ監視センサ、１５７は伝票がセットされたことを検知する伝票吸入検知センサ、１５８は伝票が伝票搬送路１４７に吸収されたことを検知する伝票吸入監視センサ、１５９は伝票が伝票搬送路１４７で搬送されていることを監視する伝票搬送監視センサである。
【００１３】
つぎに、通帳伝票処理装置１０１の伝票処理の動作について説明する。
オペレータが伝票ステージおよび伝票ガイド１４５に伝票をセットする。伝票吸入検知センサ１５７が伝票を検知すると、図示しないアクチュエータＥを駆動することにより、伝票幅寄せプレッシャローラ１４２を伝票幅寄せフィードローラ１４１に押し付ける。
つぎに、伝票搬送路１４７に伝票がセットされたことにより、図示しないアクチュエータＦによりブレード１１９を伝票搬送路１４７から印字搬送路１２６に搬送できるように切り替える。図示しないアクチュエータＧを駆動し伝票を基準面に押し当てる。
【００１４】
上記アクチュエータＧの駆動を切ったあと、アクチュエータＥの駆動を切る。
つぎに、アクチュエータＣを駆動し、プレッシャローラをフィードローラ１４３、１４４に押し付ける。その後、伝票は図示しないアクチュエータＨを駆動することにより伝票搬送路１４７を通り、伝票吸入監視センサ１５８、伝票搬送監視センサ１５９を通過して印字ユニット１２０側に搬送される。
【００１５】
印字ユニット１２０で所定の印字を行った後、伝票は印字搬送路１２６から伝票搬送路１４７に搬送され、図示しないアクチュエータＨを駆動し、フィードローラ１４３、１４４にプレッシャローラを押し付け、伝票搬送監視センサ１５９、伝票吸入監視センサ１５８、伝票吸入検知センサ１５７を通過して排出される（例えば、特許文献１参照）。
【特許文献１】特開２０００−２８１２３４
【発明の開示】
【発明が解決しようとする課題】
【００１６】
しかしながら、上述した従来の技術においては、複写紙のような一側端が糊付けされて他の端が糊付けされていない複数枚の伝票が１組になっている場合、伝票搬送路において、１枚目の伝票と２枚目の伝票以降の伝票にずれが生じてしまい、搬送ジャムや搬送スキューが発生するという問題がある。
本発明は、このような問題を解決することを課題とする。
【課題を解決するための手段】
【００１７】
そこで本発明は、フィードローラ間に伝票吸入監視センサを配置し、一端側が糊付けされている伝票を糊付けされていない側を先行させて搬送するに際して、一端側が糊付けされている伝票の１枚目が先行して搬送され２枚目以降は搬送されずに伝票間でずれてガイドに接触した負荷により搬送が停止したジャム状態を、前記伝票吸入監視センサが一定時間で検知できないと、プレッシャローラをフィードローラから離して伝票を自由にし、これにより、１枚目は２枚目以降と同じ位置まで伝票の剛性（弾性）によって戻って先端と後端が２枚目以降と同じ位置にそろったことによりジャム状態を解除することを特徴とする。
【発明の効果】
【００１８】
このようにした本発明は、プレッシャローラをフィードローラから解放可能としたことにより、複数枚で構成され一端側が糊付けされている伝票は、ジャム状態の２枚目以降は伝票の剛性（弾性）によって戻り、先端と後端が１枚目と２枚目以降と同じ位置にそろってジャムを解除することが可能となるという効果が得られる。
【発明を実施するための最良の形態】
【００１９】
以下、図面を参照して本発明の実施例を説明する。
【実施例１】
【００２０】
通帳伝票処理装置を図１、図２を用いて説明する。
図において、１は通帳伝票処理装置であり、銀行の窓口等に配置され、オペレータ等の操作者がセットした通帳や伝票等の媒体を取り込み、磁気ストライプの読み書き処理や所定の印字処理を行う通帳伝票プリンタに実装されているものがあるが、このような装置に限るものではなく、各種の券類を処理する各種装置にも実装されているが、以下の説明は、銀行で用いる通帳伝票処理装置について説明する。
【００２１】
図１において、１０は通帳インサータユニットであり、通帳伝票処理装置１内の正面側に実装され、オペレータによる通帳のセットを受け、セットされた通帳を取り込んだり、処理の終了した通帳を排出する機能等を備える。
２０は前記通帳インサータユニット１０の後方側に実装される印字ユニットであり、通帳への印字および印字のための印字済行の検出等の機能を備える。
【００２２】
３０は前記印字ユニット２０の後方側に実装されるオートターンページ（ＡＴＰ）ユニットであり、取り扱う通帳のうち、通帳のページめくりを行う機能を有する。
４０は前記通帳インサータユニット１０の上側に実装される伝票インサータユニットであり、オペレータによる伝票等の媒体のセットを受け、セットされた媒体を取り込んだり処理の終了した媒体を排出する機能を備える。
【００２３】
つぎに、前記通帳インサータユニット１０を説明する。
１３、１４および１５は通帳ステージおよび通帳ガイド１６において、媒体を搬送するフィードローラであり、プレッシャローラが対向して配置されている。
フィードローラ１３および１４のプレッシャローラは、図示しないアクチュエータＡによりフィードローラ１３および１４から離れることができる構造になっている。
【００２４】
１１は通帳を基準面に突き当てるための搬送を行う通帳幅寄せフィードローラである。
１２は通帳幅寄せフィードローラ１１に通帳を押し付ける通帳幅寄せプレッシャローラである。
通帳幅寄せプレッシャローラ１２は、図示しないアクチュエータＢにより通帳幅寄せフィードローラ１１から離れることができる構造になっている。
【００２５】
１８は通帳搬送路、１６および１７は通帳搬送路１８を構成する通帳ガイドである。
１９は通帳搬送路１８と伝票搬送路４７の合流点に設けたブレードであり、媒体の搬送方向を切り替える。
なお、図示しないが、通帳ステージおよび通帳ガイド１６には磁気ヘッドが設けてある。
【００２６】
つぎに、前記印字ユニット２０の説明を行う。
２６は印字ユニット２０に設けられた媒体の印字搬送路であり、媒体を搬送する複数のフィードローラ２１、２２、２３とこれらフィードローラに媒体を押し付けるプレッシャローラと、媒体をガイドする上下搬送ガイド２４、２５等から構成されている。
この印字搬送路２６の正面側は、前記インサータユニット１０のブレード１９の部分とつながり、印字ユニット２０で処理の終了した媒体を排出する場合、その媒体の種類に応じてブレード１９が作動し、印字搬送路２６を搬送される媒体が伝票搬送路４７か通帳搬送路１８に送り込まれる。
【００２７】
また、ブレード１９を作動させて通帳搬送路１８と印字搬送路２６を接続させ、通帳搬送路１８にセットされた通帳を印字搬送路２６に送り込むか、ブレード１９を作動させて伝票搬送路４７と印字搬送路２６を接続させて伝票搬送路４７にセットされた伝票を印字搬送路２６に送り込むことができるようになっている。
２７は印字搬送路２６に送り込んだ通帳のページマークや印字済行等を読み取る読み取り部である。
【００２８】
２８は印字ヘッド部、２９はプラテンである。
つぎに、ＡＴＰユニット３０の説明を行う。
３５はＡＴＰユニット３０に設けられた媒体のＡＴＰ搬送路であり、媒体を搬送する複数のフィードローラ３１、３２とこれらフィードローラに媒体を押し付けるプレッシャローラと媒体をガイドする上下搬送ガイド３３、３４等から構成されている。
【００２９】
このＡＴＰ搬送路３５の正面側は、前記印字ユニット２０の印字搬送路２６の後ろ側とつながり、ページめくりが必要と判断された通帳が印字搬送路２６から送り込まれ、ページめくりの終った通帳を印字搬送路２６に送り込む。
次に、伝票インサータユニット４０の説明を行う。
４３、４４は伝票ステージおよび伝票ガイド４５において媒体を搬送するフィードローラであり、これらフィードローラに媒体を押し付けるプレッシャローラが対向配置されている。このプレッシャローラは図示しないアクチュエータＣによりフィードローラ４３、４４から離れることができる構造になっている。
【００３０】
４１は媒体を基準面に突き当てるための搬送を行う伝票幅寄せフィードローラ、４２はこの伝票幅寄せフィードローラ４１に媒体を押し付ける伝票幅寄せプレッシャローラである。この伝票幅寄せプレッシャローラ４２は図示しないアクチュエータＤにより伝票幅寄せフィードローラ４１から離れることができる構造になっている。
４７は伝票搬送路、４６は伝票ガイド４５に対向して設けた伝票ガイドである。
【００３１】
図２において、５１は通帳がセットされたことを検知する通帳吸入検知センサ、５２は通帳が通帳搬送路１８に吸入されたことを検知する通帳吸入監視センサ、５３は通帳が通帳搬送路１８で搬送されていることを監視する通帳搬送監視センサ、５４は読み取り部２７の読み取りタイミングを監視する読み取り監視センサ、５５は印字ユニット２０の印字ヘッド部２８で印字するタイミングを監視する印字監視センサ、５６はＡＴＰユニット３０のターンページのタイミングを監視するＡＴＰ監視センサ、５７は伝票がセットされたことを検知する伝票吸入検知センサ、５８は伝票が伝票搬送路４７に吸収されたことを検知する伝票吸入監視センサ、５９は伝票が伝票搬送路４７で搬送されていることを監視する伝票搬送監視センサである。
【００３２】
つぎに、通帳伝票処理装置１の伝票処理の動作について説明する。
オペレータが伝票ステージおよび伝票ガイド４５に一端側が糊付けされている伝票をその糊付けされている側をオペレータ側でなく通帳伝票処理装置１側に向けてセットする。伝票吸入検知センサ５７がその伝票を検知すると、図示しないアクチュエータＥを駆動することにより、伝票幅寄せプレッシャローラ４２を伝票幅寄せフィードローラ４１に押し付ける（図３）。なお、糊付けされている伝票であることの認識手段は、伝票にマークを付けて媒体種別を読み取る手段や、媒体の厚みを光学的に検出して識別する手段等どのようなものであってもよい。
【００３３】
つぎに、伝票搬送路４７に一端側が糊付けされている伝票がセットされたことにより、図示しないアクチュエータＦによりブレード１９を伝票搬送路４７から印字搬送路２６に搬送できるように切り替える。図示しないアクチュエータＧを駆動し一端側が糊付けされている伝票の糊付け端部を基準面に押し当てる。
上記アクチュエータＧの駆動を切ったあと、アクチュエータＥの駆動を切る（図４）。
【００３４】
つぎに、アクチュエータＣを駆動し、プレッシャローラをフィードローラ４３、４４に押し付ける（図５）。
その後、一端側が糊付けされている伝票は図示しないアクチュエータＨを駆動することにより伝票搬送路４７を通り、伝票吸入監視センサ５８、伝票搬送監視センサ５９を通過して印字ユニット２０側に搬送される（図６）。
【００３５】
印字ユニット２０で所定の印字を行った後、一端側が糊付けされている伝票は印字搬送路２６から伝票搬送路４７に糊付けされていない側を先行させて一端側が糊付けされた伝票は搬送され、図示しないアクチュエータＨを駆動し、フィードローラ４３、４４にプレッシャローラを押し付け、これによって一端側が糊付けされている伝票は、伝票搬送監視センサ５９を通過するが、駆動しているフィードローラ４４とプレッシャローラと一端側が糊付けされている伝票の１枚目と２枚目以降の伝票間の摩擦によりフィードローラ４４側の一端側が糊付けされている伝票の１枚目が先行して搬送され、一端側が糊付けされている伝票の２枚目以降は搬送されずに一端側が糊付けされている伝票が伝票間でずれて伝票ガイド４５、４６に接触している負荷により一端側が糊付けされている伝票は搬送が停止される（ジャム状態）。
【００３６】
このとき、一端側が糊付けされている伝票の搬送方向（排出方向）の先端は、伝票吸入監視センサ５８まで搬送されていない。また、一端側が糊付けされている伝票は伝票搬送監視センサ５９上で停止し、後端はブレード１９より伝票搬送監視センサ５９側に位置している（図７）。
伝票吸入監視センサ５８で一端側が糊付けされている伝票をある一定時間で検知することができないので、アクチュエータＨの駆動を停止する。その後、フィードローラ４４のプレッシャローラの押し付け駆動しているアクチュエータＣの駆動を止め、プレッシャローラをフィードローラ４４から離す（図８）。これにより、一端側が糊付けされている伝票は自由になり、１枚目は２枚目以降と同じ位置まで伝票の剛性（弾性）によって戻る（図９）。
【００３７】
先端と後端が２枚目以降と同じ位置に戻ったことにより（ジャム解除）、伝票ガイド４５、４６に接触している負荷はなくなる。その後、再び図示しないアクチュエータＣを駆動してプレッシャローラをフィードローラ４４に押し付ける（図１０）。
つぎに、アクチュエータＨを駆動して一端側が糊付けされている伝票を排出方向に搬送し、伝票搬送監視センサ５９、伝票吸入監視センサ５８、伝票吸入検知センサ５７を通過して排出される（図１１）。
【００３８】
以上の構成の実施例によると、プレッシャローラをフィードローラから解放可能としたことにより、複数枚で構成され一端側が糊付けされている伝票を搬送ジャムを起こすことなく速い処理速度を維持することが可能となる。
【実施例２】
【００３９】
構成は上記実施例１と同様であり、異なる部分を図１２、図１３に示す。
図において、６１は伝票ガイド、６２は可動伝票ガイドであり、図示しないアクチュエータＩにより移動可能となっている。
つぎに、通帳伝票処理装置１の伝票処理の動作について説明する。
オペレータが伝票ステージおよび伝票ガイド４５に一端側が糊付けされている伝票をその糊付けされている側をオペレータ側でなく通帳伝票処理装置１側に向けてセットする。伝票吸入検知センサ５７がその伝票を検知すると、図示しないアクチュエータＥを駆動することにより、伝票幅寄せプレッシャローラ４２を伝票幅寄せフィードローラ４１に押し付ける（図３）。なお、糊付けされている伝票であることの認識手段は、伝票にマークを付けて媒体種別を読み取る手段や、媒体の厚みを光学的に検出して識別する手段等どのようなものであってもよい。
【００４０】
つぎに、伝票搬送路４７に一端側が糊付けされている伝票がセットされたことにより、図示しないアクチュエータＦによりブレード１９を伝票搬送路４７から印字搬送路２６に搬送できるように切り替える。図示しないアクチュエータＧを駆動し一端側が糊付けされている伝票の糊付け端部を基準面に押し当てる。
上記アクチュエータＧの駆動を切ったあと、アクチュエータＥの駆動を切る（図４）。
【００４１】
つぎに、アクチュエータＣを駆動し、プレッシャローラをフィードローラ４３、４４に押し付ける（図５）。
その後、一端側が糊付けされている伝票は図示しないアクチュエータＨを駆動することにより伝票搬送路４７を通り、伝票吸入監視センサ５８、伝票搬送監視センサ５９を通過して印字ユニット２０側に搬送される（図６）。
【００４２】
印字ユニット２０で所定の印字を行った後、一端側が糊付けされている伝票は印字搬送路２６から伝票搬送路４７に糊付けされていない側を先行させて一端側が糊付けされた伝票は搬送され、図示しないアクチュエータＨを駆動し、フィードローラ４３、４４にプレッシャローラを押し付け、これによって一端側が糊付けされている伝票は、伝票搬送監視センサ５９を通過するが、駆動しているフィードローラ４４とプレッシャローラと一端側が糊付けされている伝票の１枚目と２枚目以降の伝票間の摩擦によりフィードローラ４４側の一端側が糊付けされている伝票の１枚目が先行して搬送され、一端側が糊付けされている伝票の２枚目以降は搬送されずに一端側が糊付けされている伝票が伝票間でずれて伝票ガイド４５、４６に接触している負荷により一端側が糊付けされている伝票は搬送が停止される（ジャム状態）。
【００４３】
このとき、一端側が糊付けされている伝票の搬送方向（排出方向）の先端は、伝票吸入監視センサ５８まで搬送されていない。また、一端側が糊付けされている伝票は伝票搬送監視センサ５９上で停止し、後端はブレード１９より伝票搬送監視センサ５９側に位置している（図７）。
伝票吸入監視センサ５８で一端側が糊付けされている伝票をある一定時間で検知することができないので、アクチュエータＨの駆動を停止する。さらに、フィードローラ４４からプレッシャローラを離す。その後、図示しないアクチュエータＩを駆動して可動伝票ガイド６２を所定の位置から一端側が糊付けされている伝票の搬送の負荷とならない位置まで動かしてガイド間隔を拡げる（図１４）。これによって、一端側が糊付けされている伝票は自由になり、２枚目以降は１枚目と同じ位置まで伝票の剛性（弾性）によって移動することができ、ジャムは解除される。
【００４４】
可動伝票ガイド６２が搬送の負荷とならない位置まで動作後、アクチュエータＨを駆動してプレッシャローラをフィードローラ４４に押し付け、一端側が糊付けされている伝票を排出方向に搬送し、伝票搬送監視センサ５９、伝票吸入監視センサ５８、伝票吸入検知センサ５７を通過して排出される（図１５）。
このような実施例によると、可動伝票ガイドを設けたことにより、搬送モータを一時停止させることなく搬送処理が可能となり、複数枚で構成され一端側が糊付けされている伝票を搬送ジャムを起こすことなく速い処理速度を維持することが可能となる。
【実施例３】
【００４５】
構成は上記実施例１と同様である。
つぎに、通帳伝票処理装置１の伝票処理の動作について説明する。
オペレータが伝票ステージおよび伝票ガイド４５に一端側が糊付けされている伝票をその糊付けされている側をオペレータ側でなく通帳伝票処理装置１側に向けてセットする。伝票吸入検知センサ５７がその伝票を検知すると、図示しないアクチュエータＥを駆動することにより、伝票幅寄せプレッシャローラ４２を伝票幅寄せフィードローラ４１に押し付ける（図３）。なお、糊付けされている伝票であることの認識手段は、伝票にマークを付けて媒体種別を読み取る手段や、媒体の厚みを光学的に検出して識別する手段等どのようなものであってもよい。
【００４６】
つぎに、伝票搬送路４７に一端側が糊付けされている伝票がセットされたことにより、図示しないアクチュエータＦによりブレード１９を伝票搬送路４７から印字搬送路２６に搬送できるように切り替える。図示しないアクチュエータＧを駆動し一端側が糊付けされている伝票の糊付け端部を基準面に押し当てる。
上記アクチュエータＧの駆動を切ったあと、アクチュエータＥの駆動を切る（図４）。
【００４７】
つぎに、アクチュエータＣを駆動し、プレッシャローラをフィードローラ４３、４４に押し付ける（図５）。
その後、一端側が糊付けされている伝票は図示しないアクチュエータＨを駆動することにより伝票搬送路４７を通り、伝票吸入監視センサ５８、伝票搬送監視センサ５９を通過して印字ユニット２０側に搬送される（図６）。
【００４８】
印字ユニット２０で所定の印字を行った後、一端側が糊付けされている伝票は印字搬送路２６から伝票搬送路４７に糊付けされていない側を先行させて一端側が糊付けされた伝票は搬送され、図示しないアクチュエータＨを駆動し、フィードローラ４３、４４にプレッシャローラを押し付け、これによって一端側が糊付けされている伝票は、伝票搬送監視センサ５９を通過するが、駆動しているフィードローラ４４とプレッシャローラと一端側が糊付けされている伝票の１枚目と２枚目以降の伝票間の摩擦によりフィードローラ４４側の一端側が糊付けされている伝票の１枚目が先行して搬送され、一端側が糊付けされている伝票の２枚目以降は搬送されずに一端側が糊付けされている伝票が伝票間でずれて伝票ガイド４５、４６に接触している負荷により一端側が糊付けされている伝票は搬送が停止される。
【００４９】
このとき、一端側が糊付けされている伝票の搬送方向（排出方向）の先端は、伝票吸入監視センサ５８まで搬送されていない。また、一端側が糊付けされている伝票は伝票搬送監視センサ５９上で停止し（ジャム状態）、後端はブレード１９より伝票搬送監視センサ５９側に位置している（図７）。
伝票吸入監視センサ５８で一端側が糊付けされている伝票をある一定時間で検知することができないので、ブレード１９を通帳搬送路１８から印字搬送路２６に搬送可能に切り替える（図１６）。
【００５０】
つぎに、フィードローラ４４のプレッシャローラの押し付けをしているアクチュエータＣの駆動を止めてプレッシャローラをフィードローラ４４から離すことにより、一端側が糊付けされている伝票は自由になり、１枚目は２枚目以降と同じ位置まで伝票の剛性（弾性）によって戻る（図１７）。
先端と後端が２枚目以降と同じ位置に戻ったことにより、伝票ガイド４５、４６に接触している負荷はなくなる。また、一端側が糊付けされている伝票はフィードローラ４４にクランプされていないためにその自重により傾斜している伝票搬送路４７を落ち（ジャム解除）、ブレード１９が切り替わっていることによりブレードに当たって印字搬送路２６まで落ちないで止まる（図１８）。
【００５１】
その後、再び、図示しないアクチュエータＣを駆動してプレッシャローラをフィードローラ４４に押し付ける（図１９）。
つぎに、アクチュエータＨを駆動して一端側が糊付けされている伝票を排出方向に搬送し、伝票搬送監視センサ５９、伝票吸入監視センサ５８、伝票吸入検知センサ５７を通過して排出される（図２０）。
【００５２】
以上の構成によると、伝票搬送に切り替えるブレードを切り替えておくことにより、フィードローラにクランプされなくなった伝票はその自重により傾斜している伝票搬送路を落ちてブレードに当たって停止し、一端側が糊付けされている伝票の自由端側が揃ってフィードローラによって再び搬送することができることになるために、伝票の搬送ジャムを搬送モータを停止させることなく回避することができ、速い処理速度を維持することが可能となる。  
【図面の簡単な説明】
【００５３】
【図１】実施例１を示す説明図
【図２】実施例１を示す説明図
【図３】作動状態の説明図
【図４】作動状態の説明図
【図５】作動状態の説明図
【図６】作動状態の説明図
【図７】作動状態の説明図
【図８】作動状態の説明図
【図９】作動状態の説明図
【図１０】作動状態の説明図
【図１１】作動状態の説明図
【図１２】実施例２を示す説明図
【図１３】可動伝票ガイドの説明図
【図１４】実施例２の作動状態の説明図
【図１５】実施例２の作動状態の説明図
【図１６】実施例３の作動状態の説明図
【図１７】実施例３の作動状態の説明図
【図１８】実施例３の作動状態の説明図
【図１９】実施例３の作動状態の説明図
【図２０】実施例３の作動状態の説明図
【図２１】従来例の説明図
【図２２】従来例の説明図
【符号の説明】
【００５４】
１  通帳伝票処理装置
１０  通帳インサータユニット
１１  通帳幅寄せフィードローラ
１２  通帳幅寄せプレッシャローラ
１３、１４、１５  フィードローラ
１６、１７  通帳ガイド
１８  通帳搬送路
１９  ブレード
２０  印字ユニット
２１、２２、２３  フィードローラ
２４、２５  搬送ガイド
２６  印字搬送路
２７  読み取り部
２８  印字ヘッド部
２９  プラテン
３０  オートターンページ（ＡＴＰ）ユニット
３１、３２  フィードローラ
３３、３４搬送ガイド
３５  ＡＴＰ搬送路
４０  伝票インサータユニット
４１  伝票幅寄せフィードローラ
４２  伝票幅寄せプレッシャローラ
４３、４４  フィードローラ
４５、４６  伝票ガイド
４７  伝票搬送路  
５１  通帳吸入検知センサ
５２  通帳吸入監視センサ
５３  通帳搬送監視センサ
５４  読み取り監視センサ
５６  ＡＴＰ監視センサ
５７  伝票吸入検知センサ
５８  伝票吸入監視センサ
５９  伝票搬送監視センサ
６１  伝票ガイド
６２  可動伝票ガイド
【図１】
2010155708.tif 000003
【図２】
2010155708.tif 000004
【図３】
2010155708.tif 000005
【図４】
2010155708.tif 000006
【図５】
2010155708.tif 000007
【図６】
2010155708.tif 000008
【図７】
2010155708.tif 000009
【図８】
2010155708.tif 000010
【図９】
2010155708.tif 000011
【図１０】
2010155708.tif 000012
【図１１】
2010155708.tif 000013
【図１２】
2010155708.tif 000014
【図１３】
2010155708.tif 000015
【図１４】
2010155708.tif 000016
【図１５】
2010155708.tif 000017
【図１６】
2010155708.tif 000018
【図１７】
2010155708.tif 000019
【図１８】
2010155708.tif 000020
【図１９】
2010155708.tif 000021
【図２０】
2010155708.tif 000022
【図２１】
2010155708.tif 000023
【図２２】
2010155708.tif 000024